(57)【要約】【課題】２次電池に充電をするための充電装置において、充電における電力損失および発熱を低減すること。【解決手段】充電入力電圧を降圧するＤＣ−ＤＣコンバータと、２入力、１出力の各端子を有し、ＤＣ−ＤＣコンバータによって降圧された電圧から出力される充電電流に基づいた電圧を両入力端子間に印加可能で、かつ出力端子の電圧が、上記降圧された電圧から出力される充電電流を制御する制御電圧となる充電電流制御部とを具備する。【選択図】図１
2006271086.tif 000002
【特許請求の範囲】
【請求項１】
充電入力電圧を降圧するＤＣ−ＤＣコンバータと、
２入力、１出力の各端子を有し、前記ＤＣ−ＤＣコンバータによって降圧された電圧から出力される充電電流に基づいた電圧を前記両入力端子間に印加可能で、かつ前記出力端子の電圧が、前記降圧された電圧から出力される前記充電電流を制御する制御電圧となる充電電流制御部と
を具備することを特徴とする充電装置。
【請求項２】
前記充電電流制御部が、前記両入力端子に、前記ＤＣ−ＤＣコンバータによって降圧された前記電圧と、該降圧された電圧から出力される前記充電電流に基づいてさらに電圧降下された電圧とがそれぞれ印加されることを特徴とする請求項１記載の充電装置。
【請求項３】
前記充電電流制御部が、前記両入力端子に、前記制御された充電電流の流入先である充電対象の電圧と、前記制御された充電電流に基づいた電圧の分だけ前記充電対象の電圧より大きな電圧とがそれぞれ印加されることを特徴とする請求項１記載の充電装置。
【請求項４】
前記ＤＣ−ＤＣコンバータによって降圧された電圧から出力される充電電流に基づいた前記電圧を、両端電圧として発生する抵抗器をさらに具備することを特徴とする請求項１記載の充電装置。
【請求項５】
前記充電電流制御部の前記出力端子の電圧が制御電圧として印加されて、前記降圧された電圧から出力される前記充電電流を制御する電流制御素子をさらに具備することを特徴とする請求項１記載の充電装置。
【請求項６】
充電対象の電圧を監視する電圧監視部をさらに具備し、
該電圧監視部が、前記充電対象の電圧の監視結果として所定の電圧に達した場合に、前記充電電流制御部に対して該充電電流制御部の前記出力端子の電圧を前記充電電流が抑制される電圧となるようにはたらきかけることを特徴とする請求項１記載の充電装置。
【請求項７】
前記ＤＣ−ＤＣコンバータが、その降圧された電圧として前記充電入力電圧の値にかかわらずほぼ一定であることを特徴とする請求項１記載の充電装置。
【請求項８】
前記ＤＣ−ＤＣコンバータが、その降圧された電圧の値を規定するための参照電圧入力部を有し、該参照電圧入力部に印加される電圧に充電対象の電圧がフィードバックされていることを特徴とする請求項１記載の充電装置。
【請求項９】
前記充電入力電圧を前記ＤＣ−ＤＣコンバータに導くように順方向に挿入されたダイオードをさらに具備することを特徴とする請求項１記載の充電装置。
【請求項１０】
前記ＤＣ−ＤＣコンバータの前記参照電圧入力部に印加される前記電圧が、前記充電対象の電圧に一定電圧を加えた電圧であることを特徴とする請求項８記載の充電装置。
【発明の詳細な説明】
【技術分野】
【０００１】
本発明は、２次電池に充電をするための充電装置に係り、特に、充電における電力損失の低減に好適な充電装置に関する。
【背景技術】
【０００２】
２次電池は種々の用途で用いられている。例えば携帯電話で用いられている２次電池は容量が大きくなる傾向にあり、このため充電時間を節約し使い勝手をよくするため充電電流が大電流になっている。充電回路に電力損失はつきものであるが、充電電流が大電流になると、充電回路での電力損失：「充電電流Ｉ」×「充電回路での電圧降下Ｖ」が大きくなり発熱が見逃せなくなる。発熱は、放熱のほか、部品選択やその実装などさまざまな影響をもたらす。
【０００３】
充電回路には、例えば下記特許文献１、２に開示のものがあるがいずれも充電回路での発熱を問題としているものではない。
【特許文献１】特開２００３−１１１２９２号公報
【特許文献２】特開２００４−３６４３９３号公報
【発明の開示】
【発明が解決しようとする課題】
【０００４】
本発明は、上記の事情を考慮してなされたもので、２次電池に充電をするための充電装置において、充電における電力損失および発熱を低減することが可能な充電装置を提供することを目的とする。
【課題を解決するための手段】
【０００５】
上記の課題を解決するため、本発明に係る充電装置は、充電入力電圧を降圧するＤＣ−ＤＣコンバータと、２入力、１出力の各端子を有し、前記ＤＣ−ＤＣコンバータによって降圧された電圧から出力される充電電流に基づいた電圧を前記両入力端子間に印加可能で、かつ前記出力端子の電圧が前記降圧された電圧から出力される前記充電電流を制御する制御電圧となる充電電流制御部とを具備することを特徴とする。
【０００６】
すなわち、この充電装置では、充電入力電圧がＤＣ−ＤＣコンバータによって降圧される。ＤＣ−ＤＣコンバータでの降圧では、変換効率が一般に１００％ではないので少しの電力損失が生じるがその程度は小さい。そして、充電電流制御部は、その出力端子の電圧が、この降圧された電圧による電流（充電電流）の制御をするための電圧となる。したがって、その制御において、電力損失は、充電入力電圧がＤＣ−ＤＣコンバータによって降圧された分だけ小さくなる。よって充電における電力損失および発熱を低減できる。
【発明の効果】
【０００７】
本発明によれば、２次電池に充電をするための充電装置において、充電における電力損失および発熱を低減することができる。
【発明を実施するための最良の形態】
【０００８】
本発明の実施態様として、前記充電電流制御部は、前記両入力端子に、前記ＤＣ−ＤＣコンバータによって降圧された前記電圧と、該降圧された電圧から出力される前記充電電流に基づいてさらに電圧降下された電圧とがそれぞれ印加される、とすることができる。ＤＣ−ＤＣコンバータによって降圧された電圧から出力される充電電流に基づいた電圧を充電電流制御部の両入力端子間に印加するための一つの態様である。この場合は、ＤＣ−ＤＣコンバータの出力において充電電流が検出されていることになる。
【０００９】
また、実施態様として、前記充電電流制御部が、前記両入力端子に、前記制御された充電電流の流入先である充電対象の電圧と、前記制御された充電電流に基づいた電圧の分だけ前記充電対象の電圧より大きな電圧とがそれぞれ印加される、とすることもできる。これも、ＤＣ−ＤＣコンバータによって降圧された電圧から出力される充電電流に基づいた電圧を充電電流制御部の両入力端子間に印加するための一つの態様である。この場合は、充電対象の入力（電流流入口）において充電電流が検出されていることになる。
【００１０】
また、実施態様として、前記ＤＣ−ＤＣコンバータによって降圧された電圧から出力される充電電流に基づいた前記電圧を、両端電圧として発生する抵抗器をさらに具備する、としてもよい。これは、例えば、充電電流を検出するための抵抗器を充電装置として内蔵または備えるものである。
【００１１】
また、実施態様として、前記充電電流制御部の前記出力端子の電圧が制御電圧として印加されて、前記降圧された電圧から出力される前記充電電流を制御する電流制御素子をさらに具備する、としてもよい。これは、例えば、充電電流を制御する電流制御素子を充電装置として内蔵または備えるものである。
【００１２】
また、実施態様として、充電対象の電圧を監視する電圧監視部をさらに具備し、該電圧監視部が、前記充電対象の電圧の監視結果として所定の電圧に達した場合に、前記充電電流制御部に対して該充電電流制御部の前記出力端子の電圧を前記充電電流が抑制される電圧となるようにはたらきかける、としてもよい。充電対象（２次電池）への充電の進行に応じて、充電電流を抑制（ディジタル的にオンオフする場合もある）するものである。２次電池の特性に応じて円滑に充電を終了させることができる。
【００１３】
また、実施態様として、前記ＤＣ−ＤＣコンバータが、その降圧された電圧として前記充電入力電圧の値にかかわらずほぼ一定である、とすることができる。このようにすれば、充電入力電圧の値が仮に上下しても充電装置における電力損失・発熱はほとんど変動しない。
【００１４】
また、実施態様として、前記ＤＣ−ＤＣコンバータが、その降圧された電圧の値を規定するための参照電圧入力部を有し、該参照電圧入力部に印加される電圧に充電対象の電圧がフィードバックされている、とすることもできる。このような構成にすれば、充電対象の電圧が未だ小さい場合には、ＤＣ−ＤＣコンバータでの降圧後の電圧が小さく、充電対象の電圧が充電で大きくなるに従って、ＤＣ−ＤＣコンバータでの降圧後の電圧が大きくなる。よって、充電対象での充電の進行に応じて、充電時の電力損失および発熱をさらに低減できる。典型的には、前記ＤＣ−ＤＣコンバータの前記参照電圧入力部に印加される前記電圧は、前記充電対象の電圧に一定電圧を加えた電圧である、とすることができる。
【００１５】
また、実施態様として、前記充電入力電圧を前記ＤＣ−ＤＣコンバータに導くように順方向に挿入されたダイオードをさらに具備する、としてもよい。これは、例えば、電流の逆流を防止するためのダイオードを充電装置として内蔵または備えるものである。
【００１６】
以上を踏まえ、以下では本発明の実施形態を図面を参照しながら説明する。図１は、本発明の一実施形態に係る充電装置の構成を示す回路・ブロック図である。図１に示すように、この充電装置は、充電回路チップ１０と、これに外づけされた各部品：ダイオード２１、インダクタ２２、コンデンサ２３、抵抗器２４（以下、「抵抗器」の代わりに「抵抗」という場合がある。）、ｐチャネルＦＥＴ（field effect transistor）２５を有する。
【００１７】
充電回路チップ１０は、ＤＣ−ＤＣコンバータ１１、参照電圧源１２、充電電流制御部１３、バッテリ電圧監視部１４を内蔵する。充電電流制御部１３は、演算増幅回路１３ａと電圧源１３ｂとを有する。充電回路チップ１０は、上記の各外づけ部品と、外部接続端子１０ａ、１０ｂ、１０ｃ、１０ｄ、１０ｅ、１０ｆで電気的に接続されている。
【００１８】
ＤＣ−ＤＣコンバータ１１は、端子１０ａに供給される電圧を降圧して端子１０ｂに出力するものである。一般には、端子１０ａに供給される電圧をチョッピング（オンオフのスイッチング）して端子１０ｂに出力する。降圧の程度は、そのスイッチングのオンオフのデューティ比で決まる。このＤＣ−ＤＣコンバータ１１は、端子１０ｃから出力電圧をフィードバックして参照電圧源１２の電圧Ｖｒｅｆ（参照電圧入力部への電圧）と比較し、これらが等しくなるように電圧出力する機能を有する。すなわち、オンオフのデューティ比は、端子１０ｃに発生する電圧が電圧Ｖｒｅｆと等しくなるように決まり、例え端子１０ａに印加される電圧が変化しても端子ｃに発生する電圧は変化しない。
【００１９】
端子１０ａに接続されたダイオード２１は、電流の逆流を防止するための素子であり、端子１０ａ側がカソードである。ダイオード２１は、充電回路チップ１０内に内蔵することもできる。ダイオード２１のアノード側には例えばアダプタからの電圧が、充電入力電圧として供給される。アダプタからの電圧値は例えば６Ｖである。端子１０ｂに一端が接続されたインダクタ２２およびその他端に接続されたコンデンサ２３は、ＤＣ−ＤＣコンバータ１１のスイッチング出力波形を低域濾波する（平滑直流化する）ＬＰＦを構成する。ＬＰＦの出力である端子１０ｃの電圧（＝参照電圧源１２の電圧Ｖｒｅｆ）は、例えば４．５Ｖから５Ｖ程度に設定される。
【００２０】
なお、ＤＣ−ＤＣコンバータ１１のスイッチング周波数は、例えば１００ｋＨｚから１ＭＨｚ程度にすることができる。さらに高周波化することも、ＬＰＦを構成するインダクタ２２およびコンデンサ２３を小さな部品で構成することを可能とする意味で好ましい。
【００２１】
充電電流制御部１３は、充電電流となるｐチャネルＦＥＴ２５のソースドレイン電流を所定に制御するものである。このため、充電電流が流れる抵抗２４の電圧降下を充電電流量に応じた大きさとして、その両端電圧を端子１０ｃ、１０ｄを介して２つの入力端子に入力している。２つの入力のうち電圧の高い方（端子１０ｃの側）の入力には電圧源１３ｂの正極側が接続され、さらに電圧源１３ｂの負極側が演算増幅回路１３ｂの非反転入力として入力される。演算増幅回路１３ｂのもう一方の入力（反転入力）には端子１０ｄの電圧が供給される。演算増幅回路１３ｂの出力は、端子１０ｅを介してｐチャネルＦＥＴ２５のゲートに接続される。なお、抵抗２４の値は具体的には例えば０．３３Ωである。
【００２２】
このような充電電流制御部１３周りの構成によれば、抵抗２４の両端電圧が電圧源１３ｂの電圧に等しくなるように制御される。これは、演算増幅回路１３ａの両入力端子間がいわゆるイマジナリショートとなることからわかる。すなわち、電圧源１３ｂの加減により、充電電流であるｐチャネルＦＥＴ２５のソースドレイン電流が制御されている。ここで実際には、電圧源１３ｂの加減は、バッテリ電圧監視部１４からの指令によりなされる。制御された結果として、電流制御素子であるｐチャネルＦＥＴ２５のソースドレイン電流（＝充電電流）は例えば最大時で０．５Ａから１．０Ａである。
【００２３】
バッテリー電圧監視部１４は、ｐチャネルＦＥＴ２５のドレインに接続されるバッテリー２６（充電対象）の電圧を監視し、その監視結果をもとに上述の充電電流制御部１３の電圧源１３ｂを所定に加減するものである。このため、端子１０ｆを介してバッテリー２６の電圧がバッテリー電圧監視部１４の入力として導かれている。一般には、バッテリー２６の放電が進み電圧が低いときには、最大の充電電流が常時バッテリー２６に流入するように電圧源１３ｂを制御する。そして、バッテリー２６電圧が所定値に上昇し充電が終わりに近づいたときに、アナログ的に電圧源１３ｂ電圧を小さくして充電電流を小さくするか、またはオンオフ的に電圧源１３ｂ電圧を加減して充電電流のオンオフ的な制御を行う。
【００２４】
バッテリー２６は、ｐチャネルＦＥＴ２５のドレインに接続されて電流が供給され充電される。バッテリー２６として各種の２次電池が適用可能であるが、携帯電話用途では例えばリチウムイオン電池が多い。
【００２５】
図２は、図１を補足するための図であり、図１中に示したＤＣ−ＤＣコンバータ１１の最終出力構成例を示す説明図である。図２において、図１に示したものと同一のものには同一符号を付している。図２（ａ）に示す例は、電流をチョッピングする最終出力用ＦＥＴ１１ａの電流出力端子が端子１０ｂに接続されているが、さらにフライホイールダイオード１１ｂが図示のように接続されている。フライホイールダイオード１１ｂがあることで、ＦＥＴ１１ａがオフ状態になったときには、フライホイールダイオード１１ｂがオンし電流出力を連続させる。なお、フライホイールダイオード１１ｂは、電力損失を小さくする意味で順方向電圧が小さいもの（例えばショットキーダイオード）が好ましい。
【００２６】
図２（ｂ）に示す例は、最終出力用ＦＥＴ１１ａの電流出力端子にローサイドのＦＥＴ１１ｃが図示するように接続されている。この場合、ＦＥＴ１１ｃがあることで、ＦＥＴ１１ａがオフ状態になったときにはＦＥＴ１１ｃをオンさせて電流出力を連続させる。すなわち、ＦＥＴ１１ａとＦＥＴ１１ｃとは排他的にオンとなるように制御される。この図２（ｂ）に示す場合は、ＦＥＴ１１ｃがオンのときソースドレイン間の残留電圧が非常に小さく、その分ダイオードを用いた場合より電力損失が小さく好ましい。
【００２７】
図３は、やはり図１を補足するための図であり、図１中に示した電圧源１３ｂの経時的な出力電圧変化例を示す説明図である。図３（ａ）に示す場合は、電圧源１３ｂの電圧をある値に設定（バッテリー電圧監視部１４による）して充電を開始し、これによりバッテリー２６の電圧が上昇しその電圧値が所定の値に達したら電圧源１３ｂ電圧をアナログ的に下降させる。これにより、充電電流がアナログ的に小さくなりバッテリー２６電圧の上昇も緩やかになり充電が円滑に終了する。
【００２８】
図３（ｂ）に示す場合は、電圧源１３ｂの電圧をある値に設定して充電を開始し、これによりバッテリー２６の電圧が上昇しその電圧値が所定の値に達したら電圧源１３ｂの電圧出力をオン−オフ（ゼロ）スイッチング状態に移行する。これにより、充電電流がオンオフし、バッテリー２６電圧の上昇も緩やかになって充電が円滑に終了する。図３（ａ）、（ｂ）に示すような充電電流制御は、バッテリー２６が有する内部抵抗（およびその変化）を考慮した場合に好ましい態様である。
【００２９】
以上、図１に示した充電装置の構成および動作を説明したが、このような構成の充電装置では次のような利点がある。すなわち、ｐチャネルＦＥＴ２５のドレイン損失が、ＤＣ−ＤＣコンバータ１１で電圧降下されている分だけ小さくなっている。これは、ＤＣ−ＤＣコンバータ１１がない場合の動作と比較するとよくわかる。したがって、充電における電力損失および発熱が低減された充電装置となる。
【００３０】
次に、本発明の別の実施形態に係る充電装置について図４を参照して説明する。図４は、本発明の別の実施形態に係る充電装置の構成を示す回路・ブロック図である。同図において、すでに説明した構成要素には同一符号を付している。その部分の説明は省略する。
【００３１】
この充電装置では、充電電流を検出するための抵抗２４に代えて同機能の抵抗２４Ａを有している。抵抗２４Ａは、ｐチャネルＦＥＴ２５のソース側ではなくドレイン側にシリーズに挿入される。抵抗２４Ａの両端電圧が充電電流制御部１３の２つの入力端子に導かれる点は図１に示した実施形態における抵抗２４と同じである。抵抗２４に代えて抵抗２４Ａを有することにより、充電回路チップ１０Ａは、ｐチャネルＦＥＴ２５のソースに接続された端子１０ｄではなくドレインに接続するための端子１０ｇを有する。この実施形態の充電装置の動作は、ほぼ図１に示した充電装置と同様である。
【００３２】
次に、本発明のさらに別の実施形態に係る充電装置について図５を参照して説明する。図５は、本発明のさらに別の実施形態に係る充電装置の構成を示す回路・ブロック図である。同図において、すでに説明した構成要素には同一符号を付している。その部分の説明は省略する。
【００３３】
この充電装置では、充電電流を検出するための抵抗２４および充電電流の制御素子であるｐチャネルＦＥＴ２５を充電回路チップ１０Ｂ内に内蔵させてそれぞれ抵抗２４Ｂ、ｐチャネルＦＥＴ２５Ｂとして有する。したがって、動作として図１に示した実施形態の充電装置と同様であるが、内蔵させている分だけ充電回路チップ１０Ｂとして付加価値が高い。このような内蔵が容易に考えられるのは、すでに説明したように、ｐチャネルＦＥＴ２５Ｂとして電力損失が小さくされており発熱も小さくなっていることによる。これらの内蔵により、充電回路チップ１０Ｂとして、端子１０ｄ、同１０ｅは不要となる。なお、当然ながら、抵抗２４Ｂ、ｐチャネルＦＥＴ２５Ｂのうち一方を外づけとしたチップ構成も考えられる。
【００３４】
次に、本発明のさらに別の実施形態に係る充電装置について図６を参照して説明する。図６は、本発明のさらに別の実施形態に係る充電装置の構成を示す回路・ブロック図である。同図において、すでに説明した構成要素には同一符号を付している。その部分の説明は省略する。
【００３５】
この充電装置は、図４に示した実施形態の充電装置に対して、図５に示したような素子内蔵化を図ったものである。したがって、ｐチャネルＦＥＴ２５、抵抗２４Ａに代えて、それぞれ内蔵化されたｐチャネルＦＥＴ２５Ｂ、抵抗２４Ｃを有する充電回路チップ１０Ｃとなっている。この充電装置は、動作としてほぼ図４に示した実施形態と同じであり、利点として図５に示した実施形態とほぼ同様である。
【００３６】
次に、本発明のさらに別の実施形態に係る充電装置について図７を参照して説明する。図７は、本発明のさらに別の実施形態に係る充電装置の構成を示す回路・ブロック図である。同図において、すでに説明した構成要素には同一符号を付している。その部分の説明は省略する。
【００３７】
この実施形態の充電回路チップ１０Ｄは、上記各実施形態との大きな違いとして、ＤＣ−ＤＣコンバータ１１に与えるＶｒｅｆの発生態様が異なる。すなわち、図示するように、一定電圧の電圧源１２ａの電圧にバッテリー２６の電圧が加えられた電圧がＶｒｅｆとしてＤＣ−ＤＣコンバータ１１に供給されている（換言すると、バッテリー２６の電圧がＤＣ−ＤＣコンバータ１１にフィードバックされている。）。このような構成によると、ＤＣ−ＤＣコンバータ１１の出力電圧である端子１０ｃの電圧は、バッテリー２６の電圧に追従して変化することになる。
【００３８】
すなわち、バッテリー２６の充電の初期段階ではバッテリー２６の電圧が低いのでＤＣ−ＤＣコンバータ１１の出力電圧である端子１０ｃの電圧も低い。バッテリー２０の充電が進むほどにその電圧が大きくなるのでこれに追従してＤＣ−ＤＣコンバータ１１の出力電圧である端子１０ｃの電圧が大きくなる。したがって、充電の全期間を通してｐチャネルＦＥＴ２５のソースドレイン間の電圧は一定しており、つまりこれはバッテリー２６の電圧の高低にかかわらない。ゆえに、ｐチャネルＦＥＴ２５の充電時のドレイン損失が図１などに示した実施形態より累積的に大きく減少しており、充電での電力損失および発熱がさらに低減された充電装置となる。
【００３９】
なお、電圧源１２ａの電圧は、充電電流が最大になっているときにｐチャネルＦＥＴ２５のソースドレイン間に小さな電圧（例えば０．数Ｖ）が生じるぐらいに設定すればよい。
【００４０】
次に、本発明のさらに別の実施形態に係る充電装置について図８、図９、図１０を参照して順次説明する。図８、図９、図１０は、それぞれ本発明のさらに別の実施形態に係る充電装置の構成を示す回路・ブロック図である。これらの図において、すでに説明した構成要素には同一符号を付している。その部分の説明は省略する。これらの図に示す実施形態は、考え方ととして、図１に対する図４、図５、図６の各実施形態の関係を、図７に示した実施形態に適用したものである。
【００４１】
図８に示す充電装置では、充電電流を検出するための抵抗２４に代えて同機能の抵抗２４Ａを有している。抵抗２４Ａは、ｐチャネルＦＥＴ２５のソース側ではなくドレイン側にシリーズに挿入される。抵抗２４Ａの両端電圧が充電電流制御部１３の２つの入力端子に導かれる点は図７に示した実施形態における抵抗２４と同じである。抵抗２４に代えて抵抗２４Ａを有することにより、充電回路チップ１０Ｅは、ｐチャネルＦＥＴ２５のソースに接続された端子１０ｄではなくドレインに接続するための端子１０ｇを有する。この実施形態の充電装置の動作は、ほぼ図７に示した充電装置と同様である。
【００４２】
図９に示す充電装置では、充電電流を検出するための抵抗２４および充電電流の制御素子であるｐチャネルＦＥＴ２５を充電回路チップ１０Ｆ内に内蔵させてそれぞれ抵抗２４Ｂ、ｐチャネルＦＥＴ２５Ｂとして有している。したがって、動作として図７に示した実施形態の充電装置と同様であるが、内蔵させている分だけ充電回路チップ１０Ｆとして付加価値が高い。このような内蔵が容易に考えられるのは、すでに説明したように、ｐチャネルＦＥＴ２５Ｂとして電力損失が小さくされており発熱も小さくなっていることによる。これらの内蔵により、充電回路チップ１０Ｆとして、端子１０ｄ、同１０ｅは不要となる。なお、当然ながら、抵抗２４Ｂ、ｐチャネルＦＥＴ２５Ｂのうち一方を外づけとしたチップ構成も考えられる。
【００４３】
図１０に示す充電装置は、図８に示した実施形態の充電装置に対して、図９に示したような素子内蔵化を図ったものである。したがって、ｐチャネルＦＥＴ２５、抵抗２４Ａに代えて、それぞれ内蔵化されたｐチャネルＦＥＴ２５Ｂ、抵抗２４Ｄを有する充電回路チップ１０Ｇとなっている。この充電装置は、動作としてほぼ図８に示した実施形態と同じであり、利点として図９に示した実施形態とほぼ同様である。
【図面の簡単な説明】
【００４４】
【図１】本発明の一実施形態に係る充電装置の構成を示す回路・ブロック図。
【図２】図１中に示したＤＣ−ＤＣコンバータ１１の最終出力構成例を示す説明図。
【図３】図１中に示した電圧源１３ｂの経時的な出力電圧変化例を示す説明図。
【図４】本発明の別の実施形態に係る充電装置の構成を示す回路・ブロック図。
【図５】本発明のさらに別の実施形態に係る充電装置の構成を示す回路・ブロック図。
【図６】本発明のさらに別の実施形態に係る充電装置の構成を示す回路・ブロック図。
【図７】本発明のさらに別の実施形態に係る充電装置の構成を示す回路・ブロック図。
【図８】本発明のさらに別の実施形態に係る充電装置の構成を示す回路・ブロック図。
【図９】本発明のさらに別の実施形態に係る充電装置の構成を示す回路・ブロック図。
【図１０】本発明のさらに別の実施形態に係る充電装置の構成を示す回路・ブロック図。
【符号の説明】
【００４５】
１０，１０Ａ，１０Ｂ，１０Ｃ，１０Ｄ，１０Ｅ，１０Ｆ，１０Ｇ…充電回路チップ、１０ａ，１０ｂ，１０ｃ，１０ｄ，１０ｅ，１０ｆ，１０ｇ…外部接続端子、１１…ＤＣ−ＤＣコンバータ、１１ａ…最終出力用ＦＥＴ、１１ｂ…フライホイールダイオード、１１ｃ…ローサイドＦＥＴ、１２…参照電圧源、１２ａ…電圧源、１３…充電電流制御部、１３ａ…演算増幅回路、１３ｂ…電圧源、１４…バッテリー電圧監視部、２１…ダイオード、２２…インダクタ、２３…コンデンサ、２４，２４Ａ，２４Ｂ，２４Ｃ…抵抗器、２５，２５Ｂ…ｐチャネルＦＥＴ、２６…バッテリー。
【図１】
2006271086.tif 000003
【図２】
2006271086.tif 000004
【図３】
2006271086.tif 000005
【図４】
2006271086.tif 000006
【図５】
2006271086.tif 000007
【図６】
2006271086.tif 000008
【図７】
2006271086.tif 000009
【図８】
2006271086.tif 000010
【図９】
2006271086.tif 000011
【図１０】
2006271086.tif 000012